【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
加工中、特に押出中のペースト状又は液状のポリマーの粘度のオンライン測定法であって、
ポリマー（１０）の粘度のオンライン測定用に、少なくとも１バッチ、好ましくは時間間隔をおいて相次ぐ多数のバッチが、加工中のポリマーから分流され、測定モジュール（１２）の測定空間（４０）に移送され、
特定量のそれぞれのバッチが、それぞれのバッチに所定の圧力を、場合に応じて、所定の力、好ましくは一定の力が加えられるピストン（６）により、加えることにより、測定モジュールに形成された測定ノズル（３）を通じて測定空間（４０）から排出され、
特定量のバッチを測定ノズル（３）を通じて排出するのに要する時間が測定され、
測定空間（４０）が、測定するポリマー（１０）で満たされる前に、測定空間（４０）及び場合に応じてポリマー（１０）を測定空間（４０）に供給する供給管路（１）が、或る量の加工するポリマーで少なくとも一度濯がれる、
ことを特徴とし、
ポリマー（１０）の粘度の計算に測定時間の値が用いられ、
濯ぎに用いられたポリマー（１０）が、排出路（２５）を経由して測定空間（４０）から分流され、抽出モジュールの管路（１）のオリフィス（２７）と排出路（２５）のオリフィス（２６）が、測定空間（４０）の反対側の端部領域に配置されている、
ことを特徴とする方法。
【請求項２】
濯ぎ用に測定空間（４０）に移送されるポリマー（１０）が、測定空間（４０）の上部領域若しくは測定ノズル（３）の反対側の測定空間（４０）の端部領域に位置する少なくとも１本の排出路（２５）を通じて測定空間（４０）から分流されることを特徴とする請求項１に記載の方法。
【請求項３】
濯ぎ用に用いられるポリマーが、ポリマーの分流部位（４１）において加工中に有している圧力によって、測定空間（４０）に移送されることを特徴とする請求校１又は２に記載の方法。
【請求項４】
濯ぎ過程が終了すると、ポリマー（１０）の測定空間（４０）への供給が停止され、追加のポリマーが分流されて測定空間（４０）に移送され、測定ノズル（３）を通じて排出されるか又は測定するバッチとして、まだ測定空間（４０）内にある濯ぎ過程からのポリマーが、分流されたバッチとして測定ノズル（３）を通じて排出され、排出時間が測定されることを特徴とする請求項１〜３の何れか１項に記載の方法。
【請求項５】
測定空間（４０）及び場合に応じて排出路（２５）が、測定空間（４０）及び分流部位（４１）から測定空間（４０）に通じる供給管路（１）の体積よりも大きな量のポリマー（１０）、場合に応じて、これら二つの体積を合わせた２倍の量のポリマー（１０）で濯がれることを特徴とする請求項１〜４の何れか１項に記載の方法。
【請求項６】
測定空間（４０）へのポリマー（１０）の供給が、測定空間（４０）の下端領域で行われ、濯ぎに用いられるポリマー（１０）の取り出しが測定空間（４０）の上端領域で行われることを特徴とする請求項１〜５の何れか１項に記載の方法。
【請求項７】
ポリマーが溶融され、請求項１〜６の何れか１項に記載のポリマーの粘度のオンライン測定法が用いられるポリマーの加工法、特にポリマーの再生加工法。
【請求項８】
前記加工過程、特にポリマー溶融過程の管理用の測定値及び／又は押出機、特に押出機の回転速度の制御用の測定値が用いられ、場合に応じて、下流のメルトバルブ又は下流の粒状体分別装置の操作が行われ、得られるポリマーが、粘度に応じて分別又は選別されることを特徴とする請求項７の方法。
【請求項９】
加工されている、特に押し出されているペースト状又は液状のポリマーの粘度のオンライン測定用の、請求項１〜８の何れか１項に記載の方法を実施するのに用いる測定装置であって、
管路（１）によって溶融モジュール（５）に連結可能な、ペースト状又は液状のポリマー（１０）のバッチを抽出する抽出モジュールが備わっており、
抽出モジュールが、遮断モジュール（２）を介して、細長いことが好ましい測定空間（４０）を備えた測定モジュール（１２）に連結され、測定空間は測定ノズル（３）を有し、測定ノズルを通じて測定空間（４０）に移送されたバッチの全量又は所定部分を、圧力発生手段（３０）を用いて圧力を加えることにより、排出することができ、
測定ノズル（３）を通じて所定量のポリマー（１０）を排出する時間を測定する時間測定モジュール（２１）が備わっており、
遮断モジュール（２）及び圧力発生手段（３０）を作動させる制御モジュール（２０）が備わっており、制御モジュールによって、遮断モジュール（２）を開位置又は閉位置に所定の回数動かすことができ、遮断モジュールによって、測定空間（４０）へのポリマー（１０）の流れを制御することができ、このポリマーを濯ぎ又は測定の目的で用いることができ、
測定ノズル（３）が、圧力発生手段（３０）と反対側の測定空間（４０）の領域にある測定装置において、
得られた時間測定値から粘度を計算する算定モジュール（２９）が備わっており、
使用したポリマー（１０）を濯ぐよう、排出路（２５）が、測定空間（４０）に連結されていることを特徴とし、
抽出モジュールの管路（１）のオリフィス（２７）と、排出路（２５）のオリフィス（２６）が、測定空間（４０）の反対側の端部領域に位置していることを特徴とする測定装置。
【請求項１０】
圧力発生手段が、測定空間内を行き来することのできるピストン（６）であることを特徴とする請求項９に記載の測定装置。
【請求項１１】
排出路（２５）のオリフィス（２６）が、測定空間（４０）の上端領域に位置していることを特徴とする請求項９又は１０に記載の測定装置。
【請求項１２】
管路（１）のオリフィスと測定ノズル（３）が、測定空間（４０）の下端領域に位置していることを特徴とする請求項９〜１１の何れか１項に記載の測定装置。
【請求項１３】
排出路（２５）のオリフィス（２６）を、ピストン（６）の測定空間（４０）に進入する運動が開始される時に、圧力発生手段（３０）のピストン（６）によって閉じることができることを特徴とする請求項９〜１２の何れか１項に記載の測定装置。
【請求項１４】
測定ノズル（３）と排出路（２５）のオリフィス（２６）が、垂直方向において、測定空間（４０）の互いに反対側の端部領域に配置されていることを特徴とする請求項９〜１３の何れか１項に記載の測定装置。
【請求項１５】
ポリマー（１０）用の溶融モジュール（５）、好ましくは押出機が連結された請求項９〜１４の何れか１項に記載の測定装置。
【請求項１６】
溶融モジュール（５）が、粘度が測定されたポリマーが移送される粒状体分別装置又はメルトバルブを下流に有することを特徴とする請求項１５に記載の測定装置。
【手続補正２】
【補正対象書類名】明細書
【補正対象項目名】００３２
【補正方法】変更
【補正の内容】
【００３２】
排出路又は流出路２５は、測定空間４０の上部領域にオリフィス２６を有しており、オリフィスの断面が、素早い濯ぎ処理を可能にしている。オリフィス２６を、好ましくは細長い、特に円筒状の測定空間４０の一端、好ましくは測定ピストン側の端に設け、管路１のオリフィス２７を、反対側の他端に設けることにより、測定空間４０をできるだけ十分に濯ぐ。測定空間４０への進入すなわち測定空間の内部に向かう運動が始まると、測定ピストン６は、オリフィス２６を塞いで、望ましくないポリマーの漏れ出しを防止することができ、測定プロセスが開始できる。